(57)【要約】【課題】携帯電話の表示装置にトレンドグラフを表示する場合に、データの変化率を誤認しないようにする。【解決手段】センタで、センサからのデータを定期的に収集して記録する。データが異常値を示している場合などには、短い時間間隔でデータを収集する。定期的に収集したデータは、フラグをONにして記録する。不定期に収集したデータは、フラグをOFFにして記録する。記録したデータは、携帯電話からの要求に応じて、携帯電話に送信する。受信した温度データを、携帯電話側でトレンドグラフの表示データに変換する。フラグがONのデータであれば、データを表示した位置に縦軸を表示する。縦軸表示フラグがOFFであれば、縦軸を表示しない。縦軸が表示されていない部分は、横軸の間隔が異なっていることを示しているので、特別に測定されたデータが表示されているということがわかる。【選択図】図１
2006091695.tif 000002
【特許請求の範囲】
【請求項１】
周期的測定値か否かを示すフラグを付けた時系列の測定値を受信し、前記測定値を携帯端末の表示器にトレンドグラフで表示し、前記フラグがONの測定値に対しては縦軸目盛り線を入れて表示し、前記フラグがOFFの測定値に対しては縦軸目盛り線を入れないで表示して、随時測定時また警報時の測定値を、周期測定時の測定値と区別できるように表示することを特徴とする携帯端末でのグラフ表示方法。
【請求項２】
周期的測定値か否かを示すフラグを付けた時系列の測定値を受信する受信手段と、前記測定値からトレンドグラフの表示データを生成する演算手段と、前記トレンドグラフを表示する表示手段とを具備する携帯端末グラフ表示装置において、前記フラグがONの測定値に対しては縦軸目盛り線を入れ、前記フラグがOFFの測定値に対しては縦軸目盛り線を入れないで、前記トレンドグラフを表示するように制御する表示制御手段を設け、随時測定時また警報時の測定値を、周期測定時の測定値と区別できるように表示することを特徴とする携帯端末グラフ表示装置。
【請求項３】
周期的測定値か否かを示すフラグを付けた時系列の測定値を受信し、前記測定値を携帯端末の表示器に等間隔に横軸を取ってトレンドグラフで表示し、前記フラグがONの測定値に対しては縦軸目盛り線を入れて表示し、前記フラグがOFFの測定値に対しては縦軸目盛り線を入れないで表示して、随時測定時また警報時の測定値を、周期測定時の測定値と区別できるように表示することを特徴とする携帯端末でのグラフ表示方法。
【発明の詳細な説明】
【技術分野】
【０００１】
本発明は、携帯端末でのグラフ表示方法に関し、特に、トレンドグラフを測定状況に応じて区別して携帯端末に表示するグラフ表示方法に関する。
【背景技術】
【０００２】
携帯電話の画面に、トレンドグラフを表示する方法がある。図４に示すように、監視対象装置の動作電圧を測定器で測定して、センタを介して携帯電話に送り、携帯電話でトレンドグラフにして表示部に表示するものである。携帯電話の画面では、画面サイズに制限があるため、周期的に測定したものと、随時測定したもの、警報時（異常時）に測定したものが、図５に示すように、区別なしに、等間隔で表示される。これでは、データの種別を知ることができず、不便である。そこで、トレンドグラフを、データの属性などに応じて区別できるように、表示態様を変えることが行われている。
【０００３】
特許文献１に開示された「制御システム」は、トレンドグラフ表示を見れば、警報等の発生を知ることができるものである。図６に示すように、アナログデータT-100を、警報状態を示すディジタルデータT-100Dに関連付けておく。ディジタルデータT-100DがOFFからONになると、ONの期間中、アナログデータT-100を、通常の実線とは異なる破線で表示する。
【特許文献１】特開2002-132339号公報
【発明の開示】
【発明が解決しようとする課題】
【０００４】
しかし、従来の携帯端末でのグラフ表示方法では、携帯電話の画面サイズ（ドット数）に制限があり、周期測定したものでなくても等間隔で表示されるため、単位時間あたりどのくらい値が変化しているのかがわからないという問題がある。
【０００５】
本発明の目的は、上記従来の問題を解決して、周期的に測定したデータと、不定期に測定したデータを、区別して表示することにより、データの変化率を誤認しないようにすることである。
【課題を解決するための手段】
【０００６】
上記の課題を解決するために、本発明では、グラフ表示方法を、周期的測定値か否かを示すフラグを付けた時系列の測定値を受信し、測定値を携帯端末の表示器にトレンドグラフで表示し、フラグがONの測定値に対しては縦軸目盛り線を入れて表示し、フラグがOFFの測定値に対しては縦軸目盛り線を入れないで表示して、随時測定時また警報時の測定値を、周期測定時の測定値と区別できるように表示する方法とした。
【発明の効果】
【０００７】
このようにしたことにより、携帯電話のような少ない表示エリアの表示器でも、その測定値が、周期的な測定値か警報時などの測定値かがわかり、データの変化率を誤認することがない。
【発明を実施するための最良の形態】
【０００８】
以下、本発明を実施するための最良の形態について、図１〜図３を参照しながら詳細に説明する。
【実施例】
【０００９】
本発明の実施例は、周期測定時の測定値と随時測定時または警報時の測定値を、Ｘ軸（項目軸）に目盛り線を入れるか入れないかで区別して表示するグラフ表示方法である。
【００１０】
図１は、本発明の実施例におけるグラフ表示方法を説明する図である。図１（ａ）は、センタに保存されている測定データを示す表である。図１（ｂ）は、携帯電話の表示画面にトレンドグラフを表示した状態を示す図である。図２は、縦軸罫線の入れ方を変えたグラフ表示方法を説明する図である。図２（ａ）は、表示データを示す表である。図２（ｂ）は、携帯電話の表示画面に表示されたトレンドグラフを示す図である。図３は、グラフ表示方法の手順を説明する流れ図である。
【００１１】
携帯電話に、周期的測定値か否かを示すフラグを付けた時系列の測定値を受信する受信手段と、測定値からトレンドグラフの表示データを生成する演算手段と、トレンドグラフを表示する表示手段と備える。フラグがONの測定値に対しては縦軸目盛り線を入れ、フラグがOFFの測定値に対しては縦軸目盛り線を入れないで、トレンドグラフを表示するように制御する表示制御手段を設ける。
【００１２】
上記のように構成された本発明の実施例におけるグラフ表示方法を説明する。最初に、図１を参照しながら、グラフ表示方法の概要を説明する。監視対象装置の動作温度を測定器で測定して、センタを介して携帯電話に送り、携帯電話でトレンドグラフにして表示部に表示する方法である。図１（ａ）に示すように、監視対象装置の動作温度を測定器で測定した温度データが、センタに保存されている。
【００１３】
センタでは、センサからのデータを定期的に収集して、記録する。また、データが異常値を示している場合などには、短い時間間隔でデータを収集する。特別に指示された場合にも、データを収集する。定期的に収集したデータは、フラグをONにして記録する。不定期に収集したデータは、フラグをOFFにして記録する。記録したデータは、携帯電話からの要求に応じて、携帯電話に送信する。受信した温度データを、携帯電話側でトレンドグラフの表示データに変換する。
【００１４】
図１（ｂ）に、グラフ表示画面を、個別のセンサの温度表示グラフを例にして示す。画面上部に、グラフ表示しているセンサ名（アナログセンサ１）を表示する。その下に、最新の検針時刻と検針データを表示する。上の太い横罫線で表示されているのは、上限警報闘値である。下の太い横罫線で表示されているのは、下限警報闇値である。左に、目盛り表示がされている。曲線で描かれているのは、測定値のトレンドグラフである。グラフ描画領域の外の下側には、グラフ表示されている領域の範囲の時刻が表示される。測定データのうち、縦線が引かれている検針データは、定時検針データである。
【００１５】
次に、図２を参照しながら、表示方法を説明する。図２（ａ）に示すように、縦軸表示フラグがONのデータであれば、図２（ｂ）に示すように、データを表示した位置に縦軸を表示する。縦軸表示フラグがOFFであれば、縦軸を表示しない。縦軸が表示されていない部分は、横軸の間隔が異なっていることを示しているので、特別に測定されたデータが表示されているということがわかる。
【００１６】
次に、図３を参照しながら、表示手順を説明する。Step1で、時間軸データ順に、表示データを取り出す。Step2で、縦軸表示フラグを調べる。ONであれば、Step3で縦軸を表示する。OFFであれば、Step4で、縦軸を表示しない。Step5で、縦軸データと１つ前のデータを線で結ぶ。Step6で、すべてのデータを表示しているか調べる。すべて表示していれば終了し、データが残っていれば、Step7で、横軸方向に定められた間隔を空けて、Step1に戻り、次のデータを表示する。等間隔（予め定められた一定の間隔）に横軸（Ｘ軸）を取って、一定間隔にデータを表示することにより、定期検針と定期検針の間に何回検針を行ったか、画面上で把握することが容易になる。一定間隔でない場合は、定期検針と定期検針の間に何回検針を行ったか、画面上で把握することが困難となる。
【００１７】
上記のように、本発明の実施例では、グラフ表示方法を、周期測定時と随時測定または警報時で、Ｘ軸（項目軸）に目盛り線を入れるか入れないかで区別して表示する方法としたので、携帯電話のような少ない表示エリアでも、周期的な測定値なのか警報時の測定値なのかがわかり、データの変化率を誤認することがない。
【産業上の利用可能性】
【００１８】
本発明のグラフ表示方法は、携帯電話でのグラフ表示方法として最適である。また、PDAなどの携帯機器にグラフを表示する方法としても適当である。
【図面の簡単な説明】
【００１９】
【図１】本発明の実施例におけるグラフ表示方法を説明する図である。
【図２】本発明の実施例におけるグラフ表示方法で縦軸罫線の入れ方を変える方法を説明する図である。
【図３】本発明の実施例におけるグラフ表示方法の手順を説明する流れ図である。
【図４】従来の携帯電話画面のグラフ表示の例を示す図である。
【図５】従来のグラフ表示方法を説明する図である。
【図６】従来のグラフ表示の例を示す図である。
【図１】
2006091695.tif 000003
【図２】
2006091695.tif 000004
【図３】
2006091695.tif 000005
【図４】
2006091695.tif 000006
【図５】
2006091695.tif 000007
【図６】
2006091695.tif 000008